(57)【要約】【課題】本発明は、スロットの固定部を容易に動かすことができるメモリカード取り外し補助装置を提供することを目的とする。【解決手段】本発明に係るメモリカード取り外し補助装置は、スロットに挿入され且つ前記スロットの両端にそれぞれ設置された２つの固定部に挟まれたメモリカードを取り外すために使用され、本体と、前記本体の両端に回転可能にそれぞれ装着される２つのアームと、アームの底部にそれぞれ設置された抵抗部と、を備える。前記抵抗部は、前記固定部と前記メモリカードとの間にそれぞれ挿入され、前記本体は前記スロットまで移動し、前記アームは互いに対して離れるように回転され、前記固定部を前記メモリカードから離れるように動かす。【選択図】図４
2015023289.tif 000002
【特許請求の範囲】
【請求項１】
本体と、
前記本体の両端に回転可能にそれぞれ装着される２つのアームと、
前記アームの底部にそれぞれ設置された抵抗部と、
を備え、スロットに挿入され且つ前記スロットの両端にそれぞれ設置された２つの固定部に挟まれたメモリカードを取り外すために使用されるメモリカード取り外し補助装置であって、
前記抵抗部は、前記固定部と前記メモリカードとの間にそれぞれ挿入され、前記本体は前記スロットまで移動し、前記アームは互いに対して離れるように回転され、前記固定部を前記メモリカードから離れるように動かすことを特徴とするメモリカード取り外し補助装置。
【請求項２】
前記抵抗部は、前記アームの底部から斜めにそれぞれ延伸し、前記抵抗部の底部は弧形を呈することを特徴とする請求項１に記載のメモリカード取り外し補助装置。
【請求項３】
前記本体には２つの弾性片が設置され、前記アームは回転されて前記弾性片にそれぞれ当接されることを特徴とする請求項１又は２に記載のメモリカード取り外し補助装置。
【請求項４】
前記本体の両端には、貫通孔がそれぞれ設けられ、前記アームの上部は前記貫通孔をそれぞれ貫通し、二つの軸部は前記本体の一側をそれぞれ貫通し、前記アームの上部をそれぞれ貫通した後前記本体の他側にそれぞれ挿入されることを特徴とする請求項１から３の何れか一項に記載のメモリカード取り外し補助装置。
【発明の詳細な説明】
【技術分野】
【０００１】
本発明は、メモリカード取り外し補助装置に関するものである。
【背景技術】
【０００２】
従来の技術において、スロットに挿入されたメモリカードを取り外すには、スロットの両端にそれぞれ設置され且つメモリカードを挟む２つの固定部を互いに離れるように動かして、メモリカードをスロットから取り出す。しかし、固定部を手で動かす際、メモリカードと固定部との間に指が挟まれて怪我をする恐れがある。
【発明の概要】
【発明が解決しようとする課題】
【０００３】
本発明の目的は、前記問題を解決し、スロットの固定部を容易に動かすことができるメモリカード取り外し補助装置を提供することである。
【課題を解決するための手段】
【０００４】
上記目的を達成するために、本発明に係るメモリカード取り外し補助装置は、スロットに挿入され且つ前記スロットの両端にそれぞれ設置された２つの固定部に挟まれたメモリカードを取り外すために使用され、本体と、前記本体の両端に回転可能にそれぞれ装着される２つのアームと、アームの底部にそれぞれ設置された抵抗部と、を備える。前記抵抗部は、前記固定部と前記メモリカードとの間にそれぞれ挿入され、前記本体は前記スロットまで移動し、前記アームは互いに対して離れるように回転され、前記固定部を前記メモリカードから離れるように動かす。
【発明の効果】
【０００５】
本発明に係るメモリカード取り外し補助装置は、抵抗部を固定部とメモリカードとの間に挿入させれば、固定部をメモリカードから離れるように動かすことができるため、手で直接固定部を動かさなくてよい。
【図面の簡単な説明】
【０００６】
【図１】本発明の実施形態に係るメモリカード取り外し補助装置とマザーボードとの分解斜視図である。
【図２】図１に示すメモリカード取り外し補助装置の分解斜視図である。
【図３】図１に示すメモリカード取り外し補助装置のメモリカードを取り外す際の状態を示した側面図であって、抵抗部は固定部とメモリカードとの間にそれぞれ挿入されている状態を示した図である。
【図４】図３に示すメモリカード取り外し補助装置のメモリカードを取り外す際の状態を示した側面図であって、スロットの固定部が互いに離れるように回転された状態を示した図である。
【発明を実施するための形態】
【０００７】
図１に示したように、本発明の実施形態に係るメモリカード取り外し補助装置１０は、マザーボード２０上に設置された複数のスロット４０にそれぞれ装着且つ接続される複数のメモリカード３０を取り外す際に使用される。各メモリカード３０の両端には、開口３２がそれぞれ設けられ、各スロット４０の両端には、回転可能な固定部５０がそれぞれ設置されている。各固定部５０の上部には、延伸部５１が突設されている。各スロット４０の固定部５０は、一つのメモリカード３０の開口３２にそれぞれ係合されることが可能である。この時、固定部５０の延伸部５１とメモリカード３０の両端との間には、隙間がそれぞれ形成される。延伸部５１のメモリカード３０に面する面は斜面５１２である。
【０００８】
図２に示したように、メモリカード取り外し補助装置１０は、矩形状の本体１１及び２つのアーム１２を備える。本体１１の長手方向両端には、本体１１の短手方向に延在する貫通孔１３がそれぞれ設けられており、この本体１１の上面の貫通孔１３の間には、ハンドル１４が設置されている。ハンドル１４と貫通孔１３との間には、上方に突出する弾性片１５がそれぞれ設置されている。また、本体１１の両側には、二つの収容孔１３２がそれぞれ設けられており、２つの収容孔１３２は一方の貫通孔１３に連通し、もう２つの収容孔１３２は他方の貫通孔１３に連通する。各アーム１２は、板体１２２と、板体１２２の上面の中央部から上方へ延伸する延伸板１２４と、他方のアーム１２から離れるように板体１２２の底端から斜めに延伸する抵抗部１２６と、を備える。板体１２２の延伸板１２４に隣接する箇所には一つの装着孔１２７が設けられている。抵抗部１２６の底面１２８は弧形を呈し、抵抗部１２６の長さＬは、スロット４０の総幅Ｗより大きい又はその総幅Ｗに等しい。
【０００９】
メモリカード取り外し補助装置１０を組み立てる際、アーム１２を貫通孔１３にそれぞれ貫通させる。次いで、２つの軸部８０を同側に位置する収容孔１３２にそれぞれ貫通させて、板体１２２の装着孔１２７にそれぞれ貫通させてから、もう２つの収容孔１３２にそれぞれ挿入する。これによって、アーム１２は本体１１に回転可能に装着される。
【００１０】
図３及び図４を参照すると、メモリカード３０を一斉に取り外す際、メモリカード取り外し補助装置１０の抵抗部１２６を、上から下へとスロット４０の延伸部５１とメモリカード３０との間にそれぞれ挿入し、抵抗部１２６を対応する斜面５１２にそれぞれ当接させる。その後、メモリカード取り外し補助装置１０を引き続き下方へ移動させる。この時、抵抗部１２６はメモリカード３０と離れるように移動して固定部５０をメモリカード３０と離れるよう回転させ、固定部５０を開口３２からそれぞれ離脱させる。この時、延伸板１２４は弾性片１５まで移動し且つ弾性片１５を弾性変形させ、板体１２２は貫通孔１３に隣接する側壁にそれぞれ当接する。これにより、アーム１２は回転できなくなり、メモリカード３０を取り外すことができる。使用後は、メモリカード取り外し補助装置１０を押さなくとも、弾性片１５の弾性力によって、アーム１２は元の位置に回転する。
【符号の説明】
【００１１】
１０  メモリカード取り外し補助装置
１１  本体
１２  アーム
１２２  板体
１２４  延伸板
１２６  抵抗部
１２７  装着孔
１２８  底面
１３  貫通孔
１３２  収容孔
１４  ハンドル
１５  弾性片
２０  マザーボード
３０  メモリカード
３２  開口
４０  スロット
５０  固定部
５１  延伸部
５１２  斜面
８０  軸部
【図１】
2015023289.tif 000003
【図２】
2015023289.tif 000004
【図３】
2015023289.tif 000005
【図４】
2015023289.tif 000006